(57)【特許請求の範囲】
【請求項１】
第１情報記録媒体から光学的に情報を読取可能な読取装置と、
第２情報記録媒体と無線通信可能なヘリカルアンテナと、
を備え、
前記ヘリカルアンテナは、
スパイラル状の第１アンテナパタンが形成された筒部と、
前記読取装置が前記第１情報記録媒体を臨む窓部と、前記第１アンテナパタンと接続する第２アンテナパタンとを有し、前記筒部の一端側を支持する第１基板と、
前記筒部の他端側を支持する第２基板と、
を備えることを特徴とする情報取得装置。
【請求項２】
前記第１アンテナパタンは、複数のアンテナ線を備え、
前記第２アンテナパタンは、前記第１基板の周縁部で前記複数のアンテナ線と各々接続し、前記複数のアンテナ線を接続する接続部を備え、
前記接続部は、前記第２基板の中央部を避けた位置に設けられ、
前記第１基板は、前記第２アンテナパタンが前記第１基板を分割してできる複数の領域のうち相対的に大きな領域に前記窓部を配すること、
を特徴とする請求項１に記載の情報取得装置。
【請求項３】
前記第１アンテナパタンは、複数のアンテナ線を備え、
前記第２アンテナパタンは、前記第１基板の周縁部で前記複数のアンテナ線と各々接続し、前記複数のアンテナ線を接続する接続部を備え、
前記接続部は、前記第２アンテナパタンが前記第１基板を分割してできる複数の領域の大きさを不均一とする位置に設けられ、
前記第１基板は、前記複数の領域のうち相対的に大きな領域に前記窓部を配すること、
を特徴とする請求項１に記載の情報取得装置。
【請求項４】
前記ヘリカルアンテナは、４巻線であって、
前記第２アンテナパタンは、対向するアンテナ線を円弧形状のアンテナパタンで接続し、２つの円弧形状のアンテナパタンの交差位置を前記接続部とし、
前記第１基板は、前記２つの円弧の内側に前記窓部を配すること、
を特徴とする請求項２または請求項３に記載の情報取得装置。
【請求項５】
前記第２アンテナパタンは、前記窓部を内側に配した環状のアンテナパタンに複数のアンテナ線を接続することを特徴とする請求項１に記載の情報取得装置。
【請求項６】
前記読取装置は、前記第１基板に支持されることを特徴とする請求項１乃至請求項５のいずれか１項に記載の情報取得装置。
【請求項７】
前記読取装置は、前記第２基板に支持されることを特徴とする請求項１乃至請求項５のいずれか１項に記載の情報取得装置。
【請求項８】
前記読取装置の読取軸、および前記ヘリカルアンテナの中心軸に沿って、対象物を照射する照射装置を備えることを特徴とする請求項１乃至請求項７のいずれか１項に記載の情報取得装置。
【発明の詳細な説明】
【技術分野】
【０００１】
本発明は、情報取得装置に関する。
【背景技術】
【０００２】
スーパーマーケットやコンビニエンスストアをはじめとして、商品販売の現場では、商品管理をおこなうためのＰＯＳ（Point Of Sale）システムが広く普及している。商品にはバーコードが付され、バーコードスキャナによりバーコードをスキャンすることで商品を一意に識別可能になっている。
【０００３】
一方、近年になってＲＦＩＤ（Radio Frequency Identification）タグを商品に付して商品管理をおこなう要求があり、ＲＦＩＤタグが安価に供給されることにより、利用場面の一層の拡大が見込まれる。
【０００４】
しかしながら、市場に流通する商品は、未だ多くがバーコードを付したものであり、ＰＯＳシステムがＲＦＩＤタグですべての商品を管理するまでには至っていない。
ＲＦＩＤタグを用いた商品管理システムの導入においては、既存のバーコードによるＰＯＳシステムからのスムーズな移行を図るため、バーコードに記録された識別情報と、ＲＦＩＤタグに記憶された識別情報との紐付けをおこなうことが求められる。このため、ＲＦＩＤリーダライタには、この紐付け作業を円滑に行うため、バーコードスキャナとＲＦＩＤリーダライタの両方の実装が求められる。
【先行技術文献】
【特許文献】
【０００５】
【特許文献１】特開２００２−３２９１７７号公報
【発明の概要】
【発明が解決しようとする課題】
【０００６】
しかしながら、バーコードスキャナとＲＦＩＤリーダライタの両方の読取装置（情報取得装置）への実装は、それぞれの実装スペースを必要とし、これらを納める筺体が大型化し、オペレータにとって扱いにくいものである場合があった。
【０００７】
また、バーコードスキャナとＲＦＩＤリーダライタの読取軸が一致しない場合、オペレータは、紐付け作業時に、バーコードとＲＦＩＤタグとで情報取得対象が異なる毎に、読取装置の向きを変えなくてはならない。
【０００８】
そこで、本発明は、オペレータの作業負担を軽減可能な情報取得装置の提供を目的とする。
【課題を解決するための手段】
【０００９】
上記課題を解決するために、情報取得装置は、読取装置と、ヘリカルアンテナを備える。読取装置は、第１情報記録媒体から光学的に情報を読取可能である。ヘリカルアンテナは、第２情報記録媒体と無線通信可能である。
【００１０】
ヘリカルアンテナは、筒部と、第１基板と、第２基板と、を備える。筒部は、スパイラル状の第１アンテナパタンが形成されている。第１基板は、読取装置が第１情報記録媒体を臨む窓部と、第１アンテナパタンと接続する第２アンテナパタンとを有し、筒部の一端側を支持する。第２基板は、筒部の他端側を支持する。
【発明の効果】
【００１１】
上記の情報取得装置は、オペレータの作業負担を軽減可能にする。
【図面の簡単な説明】
【００１２】
【図１】第１の実施形態の読取装置の外観を示す図である。
【図２】第１の実施形態の読取装置の読取部方向の外観を示す図である。
【図３】第１の実施形態の読取装置の一部分解斜視図である。
【図４】第１の実施形態の読取装置におけるヘリカルアンテナとバーコードスキャナの実装スペースと読取軸を示す図である。
【図５】第１の実施形態の読取装置のハードウェア構成例を示す図である。
【図６】第１の実施形態のヘリカルアンテナの外観を示す図である。
【図７】第１の実施形態の下面基板の外観を示す図である。
【図８】第１の実施形態の上面基板の外観を示す図である。
【図９】第１の実施形態の筒部アンテナの展開図である。
【図１０】第２の実施形態の下面基板の外観を示す図である。
【図１１】第３の実施形態のヘリカルアンテナの外観を示す図である。
【図１２】第４の実施形態のヘリカルアンテナの外観を示す図である。
【発明を実施するための形態】
【００１３】
以下、本技術の実施の形態を図面を参照して説明する。
［第１の実施形態］
まず、第１の実施形態の読取装置について図１または図２を用いて説明する。図１は、第１の実施形態の読取装置の外観を示す図である。図２は、第１の実施形態の読取装置の読取部方向の外観を示す図である。
【００１４】
読取装置１は、バーコードを読み取るバーコードスキャナと、ＲＦＩＤタグと無線通信をおこなうＲＦＩＤリーダライタとを備える。バーコードは、印刷によって物品に付され、あるいはシールなどのラベルに印刷されて物品に貼付され、あるいはタグに印刷されて留め具や接着剤等により物品に付される。また、ＲＦＩＤタグは、接着剤により物品に貼付され、あるいは留め具により物品に付され、あるいは物品に埋設されて付される。
【００１５】
読取装置１は、バーコードスキャナにより読み取ったバーコードから対象物品を特定可能な識別情報（たとえば、ＪＡＮコードなど）を取得する。また、読取装置１は、ＲＦＩＤリーダライタによりＲＦＩＤタグに記録された個体識別情報（ＲＦＩＤタグの個体を特定可能な識別情報）を取得する。個体識別情報は、対象物品を一意に特定可能な識別情報に紐付けされており、間接的に対象物品を一意に特定可能にしている。なお、ＲＦＩＤタグは、対象物品を一意に特定可能な識別情報（たとえば、ＪＡＮコードなど）を記録したものであってもよい。したがって、言い換えれば、読取装置１は、対象物品から情報を取得する情報取得装置である。
【００１６】
情報の取得対象となる物品（対象物品）は、商店における商品の他、流通経路における荷物、工場における部品や製品、図書館における蔵書などであってもよい。読取装置１は、オペレータが携帯するハンディターミナルであってもよいし、ＰＯＳ端末装置などに備えられるものであってもよい。たとえば、物品が商品である場合、読取装置１は、商品精算、在庫管理、あるいは棚卸の際に、バーコードスキャナ、あるいはＲＦＩＤリーダライタにより商品に付された情報を取得する。
【００１７】
読取装置１は、オペレータが片手で操作可能なハンディタイプの筺体２を有し、読取部３、表示部４、操作部５を備える。筺体２は、バーコードスキャナ、ＲＦＩＤタグと無線通信をおこなうためのヘリカルアンテナ、所要の電子部品を実装した基板、およびバッテリなどを内部に収容する。なお、筺体２は、ヘリカルアンテナが送受信する電波を遮蔽しない不導体（たとえば、ＡＢＳ（Acrylonitrile Butadiene Styrene）などの樹脂）により形成されている。
【００１８】
読取装置１は、筺体２の下端部に筺体２をオペレータが把持する把持部を兼ねる操作部５を配置し、筺体２の中央部に表示部４を配置し、筺体２の上端部に読取部３を配置する。
【００１９】
読取部３は、先端に周囲より一段下がった略円形の凹部７と、凹部７の中に矩形の窓部８を有する。凹部７は、ヘリカルアンテナの位置、およびヘリカルアンテナの読取軸をオペレータに明示する。窓部８は、筺体２の開口であり、ガラスや樹脂などの透明な部材で閉塞される。窓部８からは、バーコードスキャナが臨み、バーコードスキャナの位置、およびバーコードスキャナの読取軸をオペレータに明示する。
【００２０】
表示部４は、液晶表示装置による操作情報、読み取った識別情報、識別情報に対応する情報など各種情報を表示する。操作部５は、筺体２の前面（表示部４が臨む面）にファンクションキー、テンキー、選択キー、決定キー等の各種操作スイッチを備え、筺体２の側面にスキャントリガキー等の操作スイッチを備える。また、読取装置１は、音声による報知をおこなうためのスピーカ、振動による報知をおこなうためのバイブレータを備える。
【００２１】
次に、第１の実施形態の読取装置１におけるヘリカルアンテナの実装について図３を用いて説明する。図３は、第１の実施形態の読取装置の一部分解斜視図である。
読取装置１は、筺体２の内部に、ヘリカルアンテナ１０を収容する収容部６を備える。ヘリカルアンテナ１０は、中空の円筒形状であり、内部空間にバーコードスキャナ１１を収容する。ヘリカルアンテナ１０は、係止部３２，３３、およびビス孔１３を備える。係止部３２は、取付部材１２の係合部１６を係止し、係止部３３は、取付部材１２の係合部１７を係止する。ヘリカルアンテナ１０は、ビス孔１３と、取付部材１２のビス孔１４とを図示しないビスにより螺合して、取付部材１２に固定される。
【００２２】
取付部材１２に固定されたヘリカルアンテナ１０は、筺体２の収容部６に収容され、取付部材１２のビス孔１５に図示しないビスにより螺合して、筺体２に固定される。ヘリカルアンテナ１０からは、取付部材１２のケーブル引出孔１８を通してケーブル１９が引き出され、ケーブル１９と所要の基板とが接続する。なお、バーコードスキャナ１１からの図示しないハーネスについても同様に引き回されて所要の基板と接続する。
【００２３】
このように、読取装置１は、ヘリカルアンテナ１０の中空空間内にバーコードスキャナ１１を収容したので、筺体２の内部に省スペースにヘリカルアンテナ１０とバーコードスキャナ１１を収容することができ、利用者の操作性を向上する。また、読取装置１は、ヘリカルアンテナ１０とバーコードスキャナ１１の読取軸を容易に一致させることができ、利用者の操作性を向上する。
【００２４】
次に、第１の実施形態の読取装置１におけるヘリカルアンテナとバーコードスキャナの実装スペースと読取軸について図４を用いて説明する。図４は、第１の実施形態の読取装置におけるヘリカルアンテナとバーコードスキャナの実装スペースと読取軸を示す図である。
【００２５】
ヘリカルアンテナ１０とバーコードスキャナ１１は、収容部６からそれぞれの読取軸Ａを揃えて読取部３に臨む。バーコードスキャナ１１は、照光装置（ＬＥＤ（Light Emitting Diode）、レーザ等）を備え、バーコード９２の読取時に読取軸Ａ方向を照射する。
【００２６】
読取装置１は、バーコード９２を有する対象物品９０に読取部３を向けて、バーコードスキャナ１１によりバーコード９２を読み取ることで、対象物品９０を特定可能な情報をバーコード９２から取得することができる。なお、バーコード９２は、光学的に読取可能な情報の一例であって、二次元バーコードや、ＯＣＲ（Optical Character Recognition）により認識可能な文字や記号であってもよい。
【００２７】
読取装置１は、ＲＦＩＤタグ９３を有する対象物品９１に読取部３を向けて、ヘリカルアンテナ１０によりＲＦＩＤタグ９３と無線通信をおこなうことで、対象物品９１を特定可能な情報をＲＦＩＤタグ９３から取得することができる。なお、ＲＦＩＤタグ９３は、指向性を有するヘリカルアンテナ１０と無線通信可能な情報記録媒体の一例である。
【００２８】
なお、バーコードスキャナ１１は、ヘリカルアンテナ１０によるＲＦＩＤタグ９３との無線通信時に、読取軸Ａ（ヘリカルアンテナ１０の中心軸）方向を照光装置により照射してもよい。これにより、読取装置１は、バーコードスキャナ１１によるバーコード９２の読取時、およびＲＦＩＤリーダによるＲＦＩＤタグ９３の読取時に、読取軸Ａ方向をオペレータに明示可能である。
【００２９】
このように、読取装置１は、ヘリカルアンテナ１０の中空空間内にバーコードスキャナ１１を収容したので、ヘリカルアンテナ１０とバーコードスキャナ１１の読取軸Ａを容易に一致させることができ、利用者の操作性を向上する。
【００３０】
次に、第１の実施形態の読取装置１のハードウェア構成について図５を用いて説明する。図５は、第１の実施形態の読取装置のハードウェア構成例を示す図である。
読取装置１は、制御装置１００に各種入出力装置を接続する。制御装置１００は、ＣＰＵ（Central Processing Unit）１０１によって装置全体が制御されている。ＣＰＵ１０１には、バス１０７を介してＲＡＭ（Random Access Memory）１０２、フラッシュＲＯＭ（Read Only Memory）１０３、通信インタフェース１０４、グラフィック処理装置１０５、および入出力インタフェース１０６が接続されている。
【００３１】
ＲＡＭ１０２には、ＣＰＵ１０１に実行させるＯＳ（Operating System）のプログラムやサーバを実行するためのアプリケーションプログラムの少なくとも一部が一時的に格納される。また、ＲＡＭ１０２には、ＣＰＵ１０１による処理に必要な各種データが格納される。フラッシュＲＯＭ１０３には、ＯＳやアプリケーションプログラムが格納される。
【００３２】
グラフィック処理装置１０５には、図示しない液晶表示装置（表示部４）が接続されている。グラフィック処理装置１０５は、ＣＰＵ１０１からの命令に従って、画像を液晶表示装置に表示させる。
【００３３】
入出力インタフェース１０６には、バーコードスキャナ１１、ＲＦＩＤリーダライタ１０９、および図示しないスピーカ、バイブレータ、各種操作キースイッチ等が接続されている。また、入出力インタフェース１０６は、可搬型記録媒体１０８への情報の書込み、および可搬型記録媒体１０８への情報の読出しが可能な可搬型記録媒体インタフェースと接続可能になっている。入出力インタフェース１０６は、バーコードスキャナ１１、ＲＦＩＤリーダライタ１０９、および各種操作キースイッチ等から送られてくる信号を、バス１０７を介してＣＰＵ１０１に送信する。
【００３４】
通信インタフェース１０４は、たとえば、無線通信、またはＲＳ−２３２Ｃ（Recommended Standard 232 version C）やＵＳＢ（Universal Serial Bus）接続の接続形式で、読取装置１をＰＯＳ端末やＰＯＳサーバに通信可能に接続する。通信インタフェース１０４は、ＰＯＳ端末やＰＯＳサーバとの間でデータの送受信をおこなう。
【００３５】
以上のようなハードウェア構成によって、本実施の形態の処理機能を実現することができる。
なお、読取装置１は、それぞれＦＰＧＡ（Field Programmable Gate Array）やＤＳＰ（Digital Signal Processer）などからなるモジュールを含んで構成することもでき、ＣＰＵ１０１を有しない構成とすることもできる。その場合、読取装置１は、それぞれ不揮発性メモリ（たとえば、ＥＥＰＲＯＭ（Electrically Erasable and Programmable Read Only Memory）、フラッシュメモリ、フラッシュメモリ型メモリカードなど）を備え、モジュールのファームウェアを記憶する。不揮発性メモリは、可搬型記録媒体１０８、あるいは通信インタフェース１０４を介してファームウェアを書き込むことができる。このように読取装置１は、不揮発性メモリに記憶されているファームウェアを書き換えることにより、ファームウェアの更新をおこなうこともできる。
【００３６】
次に、第１の実施形態のヘリカルアンテナ１０とバーコードスキャナ１１について図６から図９を用いて説明する。図６は、第１の実施形態のヘリカルアンテナの外観を示す図である。図７は、第１の実施形態の下面基板の外観を示す図である。図８は、第１の実施形態の上面基板の外観を示す図である。図９は、第１の実施形態の筒部アンテナの展開図である。
【００３７】
ヘリカルアンテナ１０は、円筒形状のマルチフィラ（多巻線）ヘリカルアンテナである。例示するヘリカルアンテナ１０は、４巻線であるが、その他の巻線数（たとえば、２巻線、８巻線など）であってもよい。
【００３８】
ヘリカルアンテナ１０は、筒部アンテナ５０と、上面基板３０と、下面基板４０を備える。ヘリカルアンテナ１０は、筒部アンテナ５０の両側端部を上面基板３０と、下面基板４０に接続して、中空空間を形成している。中空空間内には、バーコードスキャナ１１を備え、読取装置１の省スペース化を図っている。
【００３９】
筒部アンテナ５０は、４巻線のアンテナパタンを筒状にして備える。筒部アンテナ５０のアンテナパタンは、たとえば、円筒形状の躯体の表面に金属ペーストインク（銀ペーストインクなど）によって印刷されたパタンであってもよいし、金属線等の導体であってもよい。
【００４０】
ヘリカルアンテナ１０は、一般的なタグアンテナに用いられているパッチアンテナと異なり、中空空間内に導体が存在してもアンテナ特性への影響が少ないといった特徴がある。これにより、読取装置１は、ヘリカルアンテナ１０のアンテナ特性の低減を抑制しながら、中空空間内にバーコードスキャナ１１を備え、読取装置１の省スペース化を図っている。
【００４１】
下面基板４０は、読取部３側に位置する基板である。下面基板４０は、略円形状の基板であり、たとえば、ガラスエポキシ樹脂積層板である。下面基板４０は、アンテナパタン接続部４１（４１ａ，４１ｂ，４１ｃ，４１ｄ）、窓部４２、アンテナパタン４３、ビス孔４４、接続部４５を備える。
【００４２】
下面基板４０は、下面基板４０の外周部に沿って等間隔（９０度間隔）に４つのアンテナパタン接続部４１（４１ａ，４１ｂ，４１ｃ，４１ｄ）を配置する。アンテナパタン接続部４１は、それぞれ筒部アンテナ５０の基板接続部５３と接続する。
【００４３】
アンテナパタン４３は、４つのアンテナパタン接続部４１のうちの対向する２対（アンテナパタン接続部４１ａ，４１ｃの対と、アンテナパタン接続部４１ｂ，４１ｄの対）を円弧形状のパタンで接続する。２つの円弧形状のパタンは、接続部４５で接続する。このように、アンテナパタン４３は、下面基板４０を不均一な大きさの４つの領域に分割する。これにより、下面基板４０は、アンテナパタン４３を避けて、バーコードスキャナ１１が臨む窓部４２の配置領域を確保できる。
【００４４】
また、２つの円弧形状のパタンは、接続部４５を下面基板４０の中央部から周縁部側にずらすことにより、下面基板４０の中央部近傍に窓部４２を設けることを可能にする。これにより、ヘリカルアンテナ１０が指向する方向と、バーコードスキャナ１１が臨む方向とを、より近接させることができる。
【００４５】
なお、下面基板４０は、最大の大きさとなる領域に窓部４２を設けるが、窓部４２を備えるのに十分な大きさがあれば、最大となる領域以外の領域、すなわち相対的に大きな領域に窓部４２を設けるようにしてもよい。また、窓部４２を設けるのに十分な大きさを確保できるのであれば、アンテナパタン４３のパタン形状は、円弧形状に限らなくてもよい。
【００４６】
窓部４２の周縁には、バーコードスキャナ１１をビスにより螺合するための４つのビス孔４４がある。このように、アンテナパタン４３は、バーコードスキャナ１１の周縁を含めてバーコードスキャナ１１の配置領域を確保可能にするので、バーコードスキャナ１１の固定方法を広く選択可能にしている。
【００４７】
上面基板３０は、読取部３と反対側に位置する基板である。上面基板３０は、略円形状の基板であり、たとえば、ガラスエポキシ樹脂積層板である。上面基板３０は、アンテナパタン接続部３１（３１ａ，３１ｂ，３１ｃ，３１ｄ）、係止部３２，３３、複数の電子部品実装部３４、配線引出部３５、２つのビス孔１３を備える。
【００４８】
上面基板３０は、上面基板３０の外周部に沿って等間隔（９０度間隔）に４つのアンテナパタン接続部３１（３１ａ，３１ｂ，３１ｃ，３１ｄ）を配置する。アンテナパタン接続部３１は、それぞれ筒部アンテナ５０の基板接続部５４と接続する。
【００４９】
複数の電子部品実装部３４は、アンテナ回路を構成するバラン、ハイブリッド、抵抗、コンデンサ、コイルなどの電子部品を実装する。配線引出部３５は、バーコードスキャナ１１と所要の基板を接続するフレキケーブル３６を引き出すためのスリットである。
【００５０】
筒部アンテナ５０は、円筒の外周面に４つのアンテナパタン５２（５２ａ，５２ｂ，５２ｃ，５２ｄ）を備える。たとえば、筒部アンテナ５０は、樹脂製のパイプの外周面に金属箔が貼付されている。
【００５１】
４つのアンテナパタン５２（５２ａ，５２ｂ，５２ｃ，５２ｄ）は、１本毎に独立したパタンである。４つのアンテナパタン５２（５２ａ，５２ｂ，５２ｃ，５２ｄ）は、一端を、アンテナパタン接続部４１と接続する基板接続部５３（５３ａ，５３ｂ，５３ｃ，５３ｄ）とする。４つのアンテナパタン５２（５２ａ，５２ｂ，５２ｃ，５２ｄ）は、他端を、アンテナパタン接続部３１と接続する基板接続部５４（５４ａ，５４ｂ，５４ｃ，５４ｄ）とする。
【００５２】
各アンテナパタン５２は、上面基板３０、および下面基板４０の外周（円周）の４分の１の間隔を開けて配置される。筒部アンテナ５０が円筒形状に巻かれたときに、各アンテナパタン５２は、螺旋（スパイラル）状になり、基板接続部５３と基板接続部５４を半周分ずれた位置で接続する。
【００５３】
具体的には、アンテナパタン５２ａは、基板接続部５３ａがアンテナパタン接続部４１ａと接続したときに、基板接続部５４ａがアンテナパタン接続部３１ｃと接続する。アンテナパタン５２ｂは、基板接続部５３ｂがアンテナパタン接続部４１ｂと接続したときに、基板接続部５４ｂがアンテナパタン接続部３１ｄと接続する。アンテナパタン５２ｃは、基板接続部５３ｃがアンテナパタン接続部４１ｃと接続したときに、基板接続部５４ｃがアンテナパタン接続部３１ａと接続する。アンテナパタン５２ｄは、基板接続部５３ｄがアンテナパタン接続部４１ｄと接続したときに、基板接続部５４ｄがアンテナパタン接続部３１ｂと接続する。
【００５４】
筒部アンテナ５０は、上面基板３０、および下面基板４０と両端で接続することにより、内部にバーコードスキャナ１１を保持可能とする。なお、筒部アンテナ５０と、上面基板３０および下面基板４０との接続は、アンテナパタン５２と、アンテナパタン接続部３１およびアンテナパタン接続部４１とのハンダ接続やコネクタ接続とすることができる。
【００５５】
なお、ヘリカルアンテナ１０が円筒形である形成例を示したが、円筒形に限らず、底面を多角形（たとえば、８角形、１６角形など）とする筒状であってもよい。
［第２の実施形態］
次に、第２の実施形態のヘリカルアンテナを図１０を用いて説明する。図１０は、第２の実施形態の下面基板の外観を示す図である。
【００５６】
下面基板６０は、読取部３側に位置する基板である。下面基板６０は、略円形状の基板であり、たとえば、ガラスエポキシ樹脂積層板である。下面基板６０は、アンテナパタン接続部６１（６１ａ，６１ｂ，６１ｃ，６１ｄ）、窓部６２、アンテナパタン６３、ビス孔６４を備える。
【００５７】
下面基板６０は、下面基板６０の外周部に沿って等間隔（９０度間隔）に４つのアンテナパタン接続部６１（６１ａ，６１ｂ，６１ｃ，６１ｄ）を配置する。アンテナパタン接続部６１は、それぞれ筒部アンテナ５０の基板接続部５３と接続する。
【００５８】
アンテナパタン６３は、窓部６２を内側に配した環状のパタンと、４つのアンテナパタン接続部６１と環状のパタンとを接続する接続パタンとを含んで構成される。このように、アンテナパタン６３は、下面基板６０の中央部に窓部６２を形成する。これにより、下面基板６０は、アンテナパタン６３を避けて、バーコードスキャナ１１が臨む窓部６２の配置領域を確保できる。また、アンテナパタン６３は、ヘリカルアンテナ１０が指向する方向と、バーコードスキャナ１１が臨む方向とを、より近接させることができる。また、アンテナパタン６３は、バーコードスキャナ１１の視野を良好に確保可能であり、バーコードスキャナ１１の視野へのアンテナパタン６３の干渉を防止可能である。
［第３の実施形態］
次に、第３の実施形態のヘリカルアンテナに収容するバーコードスキャナの固定について図１１を用いて説明する。図１１は、第３の実施形態のヘリカルアンテナの外観を示す図である。
【００５９】
ヘリカルアンテナ７０は、バーコードスキャナ７１を下面基板７２にはんだ付けで固定する。下面基板７２は、図示しない窓部の周縁部にバーコードスキャナをはんだ付けで固定するためのパタンを備える。
［第４の実施形態］
次に、第４の実施形態のヘリカルアンテナに収容するバーコードスキャナの固定について図１２を用いて説明する。図１２は、第４の実施形態のヘリカルアンテナの外観を示す図である。
【００６０】
ヘリカルアンテナ７３は、上面基板７４から立設するポスト７７によりバーコードスキャナ７６を支持し、固定する。バーコードスキャナ７６は、上面基板７４に支持された状態で下面基板７５が備える図示しない窓部から臨む。ポスト７７の各々は、ボス孔７８に図示しないボスを挿入して上面基板７４に支持される。
【００６１】
このとき、ヘリカルアンテナ７３は、ポスト７７により上面基板７４と下面基板７５を接続して、ヘリカルアンテナ７３の剛性を高めるようにしてもよい。
なお、４本のポスト７７がバーコードスキャナ７６を支持する例を示したが、これに限らず、１本、または２本以上の任意の数でもよい。また、バーコードスキャナ７６が下面基板７５に近接して窓部に臨む例を示したが、ポスト７７の長さは、ヘリカルアンテナ７３がバーコードスキャナ７６を収容可能な範囲内で任意に設定可能である。たとえば、バーコードスキャナ７６の視野が狭い場合には、ポスト７７を短くしてもよい。
【００６２】
なお、制御装置１００は、バーコードスキャナ１１によるバーコード９２の読取指示の入力があった場合に、読取軸Ａ方向を照光装置により照射して、バーコードの読取位置を報知するバーコードスキャナ報知処理をおこなうことができる。
【００６３】
また、制御装置１００は、ヘリカルアンテナ１０によるＲＦＩＤタグ９３との無線通信の指示の入力があった場合に、読取軸Ａ方向を照光装置により照射して、ヘリカルアンテナ１０が指向する方向を報知する無線通信報知処理をおこなうことができる。
【００６４】
なお、上記の処理機能は、コンピュータによって実現することができる。その場合、制御装置１００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（可搬型記録媒体を含む）に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Digital Versatile Disc）、ＤＶＤ−ＲＡＭ、ＣＤ−ＲＯＭ、ＣＤ−Ｒ（Recordable）／ＲＷ（ReWritable）などがある。光磁気記録媒体には、ＭＯ（Magneto-Optical disk）などがある。
【００６５】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００６６】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、サーバコンピュータからプログラムが転送されるごとに、逐次、受け取ったプログラムにしたがった処理を実行することもできる。
【００６７】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【００６８】
１  読取装置
２  筺体
３  読取部
４  表示部
５  操作部
６  収容部
７  凹部
８  窓部
１０  ヘリカルアンテナ
１１  バーコードスキャナ
１２  取付部材
９０，９１  対象物品
９２  バーコード
９３  ＲＦＩＤタグ
Ａ  読取軸
【図１】
0005645800.tif 000002
【図２】
0005645800.tif 000003
【図３】
0005645800.tif 000004
【図４】
0005645800.tif 000005
【図５】
0005645800.tif 000006
【図６】
0005645800.tif 000007
【図７】
0005645800.tif 000008
【図８】
0005645800.tif 000009
【図９】
0005645800.tif 000010
【図１０】
0005645800.tif 000011
【図１１】
0005645800.tif 000012
【図１２】
0005645800.tif 000013